(57)【要約】【課題】  電話機の機能を分割することなく、好みの音量でＴＶや動画の音声を視聴できる携帯端末を提供する。【解決手段】  携帯端末１０は、後筐体１２および前筐体１３からなる本体ユニット１１と、後筐体１２に着脱自在に収納されたヘッドセット１５とを備える。本体ユニット１１は、後筐体１２または前筐体１３に無線通信をおこなう無線回路１４を設け、この無線回路１４で通信用の音声信号をヘッドセット１５に送信するものである。このヘッドセット１５は、利用者の頭に掛けられるように構成されている。【選択図】    図５
2006108879.tif 000002
【特許請求の範囲】
【請求項１】
筐体に無線通信をおこなう無線回路と、前記無線回路により通信用の音声信号を送信する本体ユニットと、
前記筐体に着脱自在に収納され、前記音声信号を受信し、受信した音声信号に基づいて音声を出力するヘッドセットと、を備え、
前記ヘッドセットは、頭部に装着可能に構成されていることを特徴とする携帯端末。
【請求項２】
前記ヘッドセットを筐体に収納した状態において、前記筐体からヘッドセットに充電可能に構成したことを特徴とする請求項１に記載の携帯端末。
【請求項３】
前記ヘッドセットに、前記無線回路に音声を伝えるための送話用のマイクロホンを備えたことを特徴とする請求項１または請求項２に記載した携帯端末。
【請求項４】
前記ヘッドセットは、利用者の左右の耳に音声を伝える左右のスピーカを備えたステレオ対応であることを特徴とする請求項１〜３のいずれか１項に記載した携帯端末。
【請求項５】
前記ヘッドセットは、前記左右のスピーカを伸縮可能なアームで連結したことを特徴とする請求項４に記載した携帯端末。
【発明の詳細な説明】
【技術分野】
【０００１】
本発明は、携帯端末に係り、特に、本体ユニットに受話部を着脱自在に収納した携帯端末に関する。
【背景技術】
【０００２】
近年、携帯電話機などの携帯端末が広く普及しているが、この携帯端末には、各種さまざまなタイプのものが開発されている。
多種のタイプの携帯タイプの中でも、本体ユニットに送話用のマイクロホンが設けられ、この本体ユニットに受話ユニットが着脱可能に設けられ、この受話ユニットに受話用のスピーカが設けられた携帯端末が知られている（例えば、特許文献１）。
【特許文献１】特開平３−１６２０２１号公報
【０００３】
この携帯端末によれば、非通話時には、本体ユニットに受話ユニットを取り付けた状態に保つ。
そして、通話時には、本体ユニットから受話ユニットを分離し、受話ユニットを利用者の耳に取り付け、受話ユニットの受話用のスピーカと、本体ユニットのマイクロホンとで通話をおこなう。
【発明の開示】
【発明が解決しようとする課題】
【０００４】
しかしながら、特許文献の携帯端末は、受話ユニットにスピーカを設け、本体ユニットにマイクロホンを設けたので、受話ユニットと本体ユニットとをセットして電話機として役割を果たす。
すなわち、特許文献の携帯端末は、受話ユニットのみでは、電話機の役割を果たさない。
そして、通話時には、本体ユニットから受話ユニットを分離して、受話ユニットを耳に取り付け、本体ユニットのマイクロホンを利用者の口に近づける必要があり、使い勝手が悪い。
【０００５】
ところで、近年、ＴＶ視聴や、動画再生可能な、携帯端末が提案されている。これらのＴＶ視聴や、動画再生の際に、ＴＶや動画の音声を、例えば、家庭内でＴＶを視聴した場合や、動画を再生した場合と同様に、好みの音量で視聴したいというニーズがある。
【０００６】
本発明は上記事情に鑑みてなされたもので、電話機の機能を分割することなく、好みの音量でＴＶや動画の音声を視聴できる携帯端末を提供することを目的とする。
【課題を解決するための手段】
【０００７】
本発明の携帯端末は、筐体に無線通信をおこなう無線回路と、前記無線回路により通信用の音声信号を送信する本体ユニットと、前記筐体に着脱自在に収納され、前記音声信号を受信し、受信した音声信号に基づいて音声を出力するヘッドセットと、を備え、前記ヘッドセットは、頭部に装着可能に構成されていることを特徴とする。
ここで、ヘッドセットとしては、頭頂部あるいは後頭部を通過する略Ｃ字状のアームを介して一対のスピーカが連結されたいわゆるヘッドフォンタイプや、使用者の両耳にスピーカを個別に係止するタイプ等を例示できる。
【０００８】
本体ユニットとヘッドセットとを無線により通信可能とすることで、本体ユニットからヘッドセットを分離して使用する際に、コードが邪魔になることがない。
このように、本体ユニットに対してヘッドセットを着脱可能とし、本体ユニットとヘッドセットとを無線により通信可能とすることで、電話機の機能を分割することなく、本体ユニットを親機、ヘッドセットを子機として使用することが可能になる。
【０００９】
また、本発明の携帯端末は、前記ヘッドセットを筐体に収納した状態において、前記筐体からヘッドセットに充電可能に構成したことを特徴とする。
【００１０】
ヘッドセットを筐体に収納した状態においてヘッドセットに充電可能とすることで、ヘッドセットに個別に電源を設ける必要がなく、ヘッドセットのコンパクト化が図れ、使い勝手に優れたヘッドセットが得られる。
加えて、ヘッドセットを筐体で充電可能とすることで、外出中でも、ヘッドセットを簡単に受電することができ、使い勝手に優れたヘッドセットが得られる。
【００１１】
また、本発明の携帯端末は、前記ヘッドセットに、前記無線回路に音声を伝えるための送話用のマイクロホンを備えたことを特徴とする。
【００１２】
ヘッドセットに送話用のマイクロホンを備えることで、ヘッドセットから本体ユニットに音声を伝えることが可能になる。
これにより、電話機の機能を分割することなく、本体ユニットを親機、ヘッドセットを子機として使用できる。
【００１３】
また、本発明の携帯端末は、前記ヘッドセットは、利用者の左右の耳に音声を伝える左右のスピーカを備えたステレオ対応であることを特徴とする。
【００１４】
ヘッドセットに、左右の耳に音声を伝える左右のスピーカを備えることで、ステレオ対応とし、好みの音量でＴＶや動画の音声を視聴できる。
【００１５】
また、本発明の携帯端末は、前記ヘッドセットは、前記左右のスピーカを伸縮可能なアームで連結したことを特徴とする。
【００１６】
左右のスピーカを伸縮可能なアームで連結することで、筐体に収納する際に、ヘッドセットをコンパクトにすることが可能になり、筐体の収納スペースが小さく抑えられる。
加えて、ヘッドセットを本体ユニットから分離して使用する際には、アームを利用者の一方の耳から他方の耳まで伸ばすことで、通常のヘッドホンと同様に、ヘッドセットを利用者の頭に掛けて使用することができる。
これにより、ヘッドセットを手で持つ必要がなくなるので、使い勝手の向上が図れる。
【発明の効果】
【００１７】
本発明によれば、本体ユニットに対してヘッドセットが着脱可能なので、本体ユニットを親機、ヘッドセットを子機として親子電話ができ、ステレオ対応とすることで、好みの音量でＴＶや動画の音声を視聴できるという効果を有する。
【発明を実施するための最良の形態】
【００１８】
図１（Ａ）〜（Ｃ）に示すように、第１実施形態の携帯端末１０は、後筐体（筐体）１２および前筐体１３からなる本体ユニット１１と、後筐体１２に着脱自在に収納されたヘッドセット１５とを備える。
【００１９】
本体ユニット１１は、全体の形状が略矩形状に形成され、後筐体１２の前面に前筐体１３が上下方向（矢印Ａ−Ｂ方向）にスライド自在に設けられるとともに、後筐体１２の前面１２Ａに対して前筐体１３が略平行に旋回自在に設けられている。
この本体ユニット１１は、後筐体１２または前筐体１３に無線通信をおこなう無線回路１４を設け、この無線回路１４で通信用の音声信号をヘッドセット１５に送信するものである。
【００２０】
後筐体１２は、図１（Ｃ）に示すように、背面視において略矩形状に形成されるとともに、図１（Ｂ）に示すように、側面視において略湾曲状に形成されることで、前面１２Ａが凹状の湾曲に形成されるとともに、背面１２Ｂが凸状の湾曲に形成されている。
図１（Ｃ）に示すように、後筐体１２の背面１２Ｂに、上端部１２Ｃから下端部１２Ｄにわたって一定幅の収納溝１７が形成され、この収納溝１７にヘッドセット１５が着脱可能に収納されている。
後筐体１２の前面１２Ａに前筐体１３が矢印Ａ−Ｂ方向にスライド自在に設けられている。
【００２１】
図１（Ａ）に示すように、前筐体１３は、正面視において略矩形状に形成され、前面１３Ａを平坦面に形成し、下端部１３Ｂを除いた略全域に表示部１８を設けるとともに、下端部１３Ｂに操作ボタン群１９を設ける。
さらに、図１（Ｂ）に示すように、前筐体１３は、背面１３Ｃを凸状の湾曲に形成し、この凸状の背面１３Ｃを、後筐体１２の前面１２Ａに対して上下方向（矢印Ａ−Ｂ方向）にスライド自在に重ね合わせたものである。
【００２２】
加えて、前筐体１３は、図２に示すように、後筐体１２の前面１２Ａに対して上方向（矢印Ａ方向に）にスライドさせた状態で、かつ、図３に示すように、前面１２Ａに対して略平行に９０°旋回可能に構成したものである。
図２、図３に示すように、後筐体１２の前面１２Ａには、中央部から下端部１２Ｄにわたって操作ボタン群２１が設けられている。
一方、図２（Ｃ）に示すように、前筐体１３の後面１３Ｃには、上端部にカメラ２２およびレンズ２２Ａが設けられ、カメラ２２の上方にフラッシュ２３が設けられている。
【００２３】
後筐体１２の収納溝１７（図４参照）にヘッドセット１５が着脱可能に設けられている。図４（Ｂ）に示すように、ヘッドセット１５は、背面視で略矩形状に形成するとともに、幅を収納溝１７の幅より僅かに小さく形成し、図４（Ｃ）に示すように、側面視で湾曲状に形成するとともに、厚さを収納溝１７の深さと略同一に形成することで、収納溝１７に収納された状態で、後筐体１２の表面（主に、背面１２Ｂ）と面一（図１、図２参照）になるように形成されている。
【００２４】
ヘッドセット１５は、本体ユニット１１の無線回路１４で送信した通信用の音声信号を受信し、受信した音声信号に基づいて音声を出力するように構成されている。
ヘッドセット１５は、図５に示すように、一方の端部（以下、「右端部」という）２５と、他方の端部（以下、「左端部」という）２６とを伸縮可能なアーム２７で連結されている。
このアーム２７を収縮した状態で、ヘッドセット１５を収納溝１７に収納する。
【００２５】
アーム２７は、望遠鏡のようにテレスコピックタイプに折り畳み可能に形成することで、伸縮自在に構成された連結部材である。
左右の端部２５，２６を伸縮可能なアーム２７で連結することで、後筐体１２の収納溝１７に収納する際に、ヘッドセット１５をコンパクトにすることが可能になり、後筐体１２の収納スペースが小さく抑えられる。
【００２６】
後筐体１２に電源供給をするための端子を設け、ヘッドセット１５には後筐体１２から電源供給を受けるための端子を設けることで、ヘッドセット１５を収納溝１７に収納した状態において、本体ユニット１１からヘッドセット１５に充電することができる。
よって、ヘッドセット１５に個別に電源を設ける必要がなく、ヘッドセット１５のコンパクト化が図れ、使い勝手に優れたヘッドセット１５が得られる。
なお、電源供給手段は非接触としてもよい。
【００２７】
図４に示すように、ヘッドセット１５を後筐体１２の収納溝１７から外した後、左右の端部２５，２６を互いに離れる方向（矢印の方向）に引っ張ることで、左右の端部２５，２６を連結しているアーム２７が伸びて湾曲状の形状を保つ（図５参照）。
【００２８】
図５に示すアーム２７を、利用者の頭（図示せず）に、通常のヘッドホンと同様に掛けることで、左端部２５を利用者の左耳（図示せず）に当て、右端部２６を利用者の右耳（図示せず）に当てることができる。
これにより、ヘッドセット１５を手で持つ必要がなくなるので、使い勝手の向上が図れる。
【００２９】
図５に示すように、左端部２５には、左スピーカ３１が設けられ、右端部２６には右スピーカ３２が設けられている。すなわち、ヘッドセット１５は、利用者の左右の耳に音声を伝える左右のスピーカ３１，３２を備えたステレオ対応に構成されている。
【００３０】
さらに、左端部２５には、送話用のマイクロホン３３が設けられている。この送話用のマイクロホン３３を用いることで、音声を、本体ユニット１１の無線回路１４に伝える。
なお、送話用のマイクロホン３３は右端部２６に設けることも可能である。
【００３１】
次に、携帯端末１０の使用例を説明する。
携帯端末１０を携帯する際には、図１に示すように、後筐体１２の収納溝１７にヘッドセット１５を収納し、後筐体１２に前筐体１３全体を重ね合わせる。
これにより、携帯端末１０をコンパクトに纏めることができ、良好な携帯性を確保できる。
加えて、ヘッドセット１５を本体ユニット１１で充電可能とすることで、外出中でも、ヘッドセット１５を簡単に受電することができる。
【００３２】
端末携帯１０で写真を写す際には、図２に示すように、後筐体１２に対して前筐体１３を上方にスライドさせて、カメラ２２のレンズ２２Ａやフラッシュ２３を露出させる。
カメラ２２のレンズ２２Ａで捕らえた被写体は、前筐体１３の表示部１８に表示される。
【００３３】
端末携帯１０でＴＶや動画を視聴する際には、図３に示すように、後筐体１２に対して前筐体１３を上方にスライドさせた後、前筐体１３を９０°旋回させる。
この状態で、後筐体１２の収納溝１７からヘッドセット１５を外し、図５に示すように、アーム２７を湾曲状に伸ばして利用者の頭に掛ける。
ヘッドセット１５の左スピーカ３１が左耳に配置され、右スピーカ３２が右耳に配置される。
ヘッドセット１５に、左右の耳に音声を伝える左右のスピーカ３１，３２を備えることで、ステレオ対応とし、好みの音量でＴＶや動画の音声を視聴できる。
ここで、携帯端末１０によれば、本体ユニット１１とヘッドセット１５とを無線により通信可能とすることで、本体ユニット１１からヘッドセット１５を分離して使用する際に、コードが邪魔になることがない。
【００３４】
ＴＶや動画の視聴中に、着信した場合、着信が優先される。
左右のスピーカ３１，３２から音声を出力し、送話用のマイクロホン３３から音声を伝えることで、ヘッドセット１５は、単体で電話機の機能を備えている。
すなわち、ヘッドセット１５は、電話機の機能が分割されていないので、本体ユニット１１の親機に対して、子機として使用できる。
【００３５】
なお、端末携帯１０でＴＶや動画を視聴するその他の例として、図６に示すように、後筐体１２にヘッドセット１５を収納したままで、左右のスピーカ３１，３２を後筐体１２から引き出すことで、ステレオ対応とし、好みの音量でＴＶや動画の音声を視聴できる。
【００３６】
次に、第２〜第５実施形態の携帯端末を図７〜図１０に基づいて説明する。なお、第２〜第５実施形態の携帯端末において第１実施形態の携帯端末と同一類似部材については同一符号を付して説明を省略する。
第２実施形態
図７に示す第２実施形態の携帯端末４０は、後筐体１２の背面１２Ｃに、複数本（一例として３本）の収納溝１７を設け、各収納溝１７にヘッドセット１５をそれぞれ着脱可能に収納したものである。
【００３７】
ヘッドセット１５を複数本備えることで、３人以上の会話、すなわち、パーティーラインが可能になり、使い勝手のより一層の向上が図られる。
さらに、第２実施形態の携帯端末によれば、第１実施形態の効果と同様の効果を得ることができる。
【００３８】
第３実施形態
図８に示す第３実施形態の携帯端末５０は、本体ユニット５１をストレートタイプとしたものである。本体ユニット５１に収納溝５２を設け、この収納溝５２にヘッドセット５３を着脱可能に収納する。
【００３９】
収納溝５２から外したヘッドセット５３の左右端部５５，５５を、互いに離す方向に矢印の方向に引っ張ることで、伸縮自在のアーム５６を湾曲状に伸ばし、このアーム５６を利用者の頭に掛ける。
第３実施形態の携帯端末５０によれば、第１実施形態の効果と同様の効果を得ることができる。
【００４０】
第４実施形態
図９に示す第４実施形態の携帯端末６０は、本体ユニット６１を一対の筐体６２，６３で構成し、一対の筐体６２，６３を支持軸６４を介して折り畳み可能に構成したものである。
【００４１】
本体ユニット６１の一方の筐体６３に収納溝６５を設け、この収納溝６５にヘッドセット６６を着脱可能に収納する。
ヘッドセット６６は、第１実施形態のヘッドセット１５と同じ構成である。
第４実施形態の携帯端末６０によれば、第１実施形態の効果と同様の効果を得ることができる。
【００４２】
第５実施形態
図１０に示す第４実施形態の携帯端末７０は、本体ユニット７１を一対の筐体７２，７３で構成し、一対の筐体７２，７３を矢印の方向に旋回可能に構成したものである。
本体ユニット７２の一方の筐体７３に収納溝７４を設け、この収納溝７４にヘッドセット７５を着脱可能に収納する。
ヘッドセット７５は、第１実施形態のヘッドセット１５と同じ構成である。
第５実施形態の携帯端末７０によれば、第１実施形態の効果と同様の効果を得ることができる。
【００４３】
なお、前記実施形態では、ヘッドセット１５のアーム２７をテレスコピックタイプを用いて伸縮可能に構成した例について説明したが、これに限らないで、蛇腹タイプを用いて伸縮可能に構成しても同様の効果が得られる。
【産業上の利用可能性】
【００４４】
本発明は、本体ユニットに受話部を着脱自在に収納した携帯端末への適用に好適である。
【図面の簡単な説明】
【００４５】
【図１】（Ａ）〜（Ｃ）は本発明に係る第１実施形態の携帯端末を携帯モードに折り畳んだ状態を示す図である。
【図２】（Ａ）〜（Ｃ）は第１実施形態に係る携帯端末を使用モードに伸ばした状態を示す図である。
【図３】第１実施形態に係る携帯端末をＴＶおよび動画の視聴モードに切り換えた状態を示す正面図である。
【図４】（Ａ）〜（Ｄ）は第１実施形態に係る携帯端末の本体ユニットおよびヘッドセットを示す図である。
【図５】第１実施形態の携帯端末のヘッドセットを使用状態にセットした例を示す図である。
【図６】第１実施形態の携帯端末でＴＶおよび動画を視聴する際のその他の例を示す図である。
【図７】本発明に係る第２実施形態の携帯端末を示す斜視図である。
【図８】（Ａ）〜（Ｃ）は本発明に係る第３実施形態の携帯端末を示す図である。
【図９】本発明に係る第４実施形態の携帯端末を示す斜視図である。
【図１０】本発明に係る第５実施形態の携帯端末を示す斜視図である。
【符号の説明】
【００４６】
１０，４０，５０，６０，７０  携帯端末
１１  本体ユニット
１２  後筐体
１３  前筐体
１４  無線回路
１５，５５，６６，７５  ヘッドセット
２５  左端部
２６  右端部
２７，５６  アーム
３３  マイクロホン
３１  左スピーカ
３２  右スピーカ
【図１】
2006108879.tif 000003
【図２】
2006108879.tif 000004
【図３】
2006108879.tif 000005
【図４】
2006108879.tif 000006
【図５】
2006108879.tif 000007
【図６】
2006108879.tif 000008
【図７】
2006108879.tif 000009
【図８】
2006108879.tif 000010
【図９】
2006108879.tif 000011
【図１０】
2006108879.tif 000012